(57)【要約】【課題】  格納された閉状態のメインディスプレイを開状態にする操作を行わずにユーザが所望する情報を提供することができる情報端末装置を提供すること。【解決手段】  開閉駆動する格納式のメインディスプレイ２０と、メインディスプレイ２０が格納された閉状態の場合に露出されるサブディスプレイ２１とを備えた情報端末装置において、メインディスプレイ２０の開閉状態を判断する開閉状態判断手段と、開閉状態判断手段によりメインディスプレイ２０が格納された閉状態であると判断された場合、サブディスプレイ２１にユーザ所望の情報を表示する制御を行う表示制御手段とを装備する。【選択図】  図１
2006331167.tif 000002
【特許請求の範囲】
【請求項１】
開閉駆動する格納式のメインディスプレイと、該メインディスプレイが格納された閉状
態の場合に露出されるサブディスプレイとを備えた情報端末装置において、
前記メインディスプレイの開閉状態を判断する開閉状態判断手段と、
該開閉状態判断手段により前記メインディスプレイが格納された閉状態であると判断さ
れた場合、前記メインディスプレイの開状態時に該メインディスプレイに表示される情報
のうちの所定の情報を前記サブディスプレイに表示する制御を行う表示制御手段とを備え
ていることを特徴とする情報端末装置。
【請求項２】
前記開閉状態判断手段により前記メインディスプレイが開状態であると判断された場合
、前記サブディスプレイの表示を停止する表示停止手段を備えていることを特徴とする請
求項１記載の情報端末装置。
【請求項３】
前記表示制御手段が、前記所定の情報として、道路交通情報取得手段から取得した道路
交通情報を前記サブディスプレイに表示する制御を行うものであることを特徴とする請求
項１又は請求項２記載の情報端末装置。
【請求項４】
前記表示制御手段が、前記所定の情報として、電子番組表取得手段から取得した番組情
報を前記サブディスプレイに表示する制御を行うものであることを特徴とする請求項１又
は請求項２記載の情報端末装置。
【請求項５】
前記表示制御手段が、前記所定の情報として、自動料金収受システムに対応した通信手
段から取得した情報を前記サブディスプレイに表示する制御を行うものであることを特徴
とする請求項１又は請求項２記載の情報端末装置。
【請求項６】
前記表示制御手段が、前記所定の情報として、現在位置を検出しながら経路案内を行う
ナビゲーション手段から取得した情報を前記サブディスプレイに表示する制御を行うもの
であることを特徴とする請求項１又は請求項２記載の情報端末装置。
【請求項７】
前記ナビゲーション手段から取得した情報には、現在位置周辺の施設・店舗情報、及び
／又は現在位置の地名が含まれていることを特徴とする請求項６記載の情報端末装置。
【請求項８】
前記ナビゲーション手段から取得した情報には、経路案内情報が含まれていることを特
徴とする請求項６記載の情報端末装置。
【請求項９】
前記メインディスプレイの閉状態時に前記サブディスプレイに表示させる所定の情報を
設定するための表示情報設定手段を備えていることを特徴とする請求項１〜８のいずれか
の項に記載の情報端末装置。
【請求項１０】
前記表示情報設定手段が、音声入力手段から入力された音声情報に基づいて前記所定の
情報を設定するものであることを特徴とする請求項９記載の情報端末装置。
【請求項１１】
前記表示制御手段による表示制御により前記サブディスプレイに表示された前記所定の
情報を記憶部に記憶する記憶手段を備えていることを特徴とする請求項１〜１０のいずれ
かの項に記載の情報端末装置。
【発明の詳細な説明】
【技術分野】
【０００１】
本発明は情報端末装置に関し、より詳細には開閉駆動する格納式のメインディスプレイ
と、該メインディスプレイが格納された閉状態の場合に露出されるサブディスプレイとを
備えた情報端末装置に関する。
【背景技術】
【０００２】
図９は、開閉駆動する格納式のメインディスプレイと、該メインディスプレイが格納さ
れた閉状態の場合に露出されるサブディスプレイとを備えた従来の情報端末装置を模式的
に示した外観図であり、（ａ）は、メインディスプレイ閉状態時の正面図と側面図、（ｂ
）は、メインディスプレイ開状態時の正面図と側面図を示している。
【０００３】
図中１００は、車載用の情報端末装置を示しており、情報端末装置１００の本体２には
、ＣＤやＤＶＤ等の記録媒体に記録された音楽データや映像データ等を読み込んで再生す
るための再生装置や、ナビゲーションのための電子地図データ等が記憶されたハードディ
スク装置や、各部の動作を制御する制御装置など（いずれも図示せず）が内蔵されており
、音楽や映像を出力するオーディオ・ビジュアル機能と、自車位置を検出しながら経路案
内等を行うナビゲーション機能とを備えている。
【０００４】
図９（ａ）に示したように、メインディスプレイ２０が、本体２に格納されている状態
では、情報端末装置１００の前面パネル３が視認可能となっており、前面パネル３には、
サブディスプレイ２１や各種入力ボタン３ａが配設されている。この前面パネル３は、オ
ーディオ操作用に構成されており、ＶＤＦ等から構成されているサブディスプレイ２１に
は、再生曲の演奏時間や曲名、あるいは受信しているラジオ放送局の受信周波数などのオ
ーディオ関連の情報が表示されるようになっている。
【０００５】
そして、図９（ａ）に示したメインディスプレイ２０の閉状態時において、前面パネル
３に配設された、メインディスプレイ２０をオープンさせるための開閉スイッチ２０ａが
操作されると、図９（ｂ）に示したように、本体２に格納されていたメインディスプレイ
２０が前方に押し出されて、前面パネル３の手前に配置されるようになっており、液晶デ
ィスプレイから構成されているメインディスプレイ２０には、ナビゲーションの地図画像
やＤＶＤの映像等が表示されるようになっている。
【０００６】
従来の情報端末装置１００は、メインディスプレイ２０が格納された閉状態では、地図
画像や経路に関する情報（道路交通情報も含む）等のナビゲーションに関連する情報を視
認することができないため、ナビゲーションに関連する情報を視認したい場合には、メイ
ンディスプレイ２０を開状態にする操作が必要であり、走行中に開閉スイッチ２０ａの操
作を行うことになると、前方不注意等につながり安全上好ましくないという課題があった
。
【０００７】
また、下記の特許文献１には、ＶＩＣＳ受信機で受信した文字情報中に、予め設定され
たキーワードを含むか否かを判断し、該キーワードを含む文字情報だけを表示装置に表示
する機能を有したナビゲーション装置が開示されているが、特許文献１記載のナビゲーシ
ョン装置における表示装置は、メインディスプレイ２０のような格納式ではなく、したが
って、格納された状態については想定されておらず、メインディスプレイ２０が閉状態で
ある場合に必要な情報を視認することができないといった情報端末装置１００が有する課
題を解決することはできない。
【特許文献１】特開２００４−５３３４６号公報
【発明の開示】
【課題を解決するための手段及びその効果】
【０００８】
本発明は上記課題に鑑みなされたものであって、格納された閉状態のメインディスプレ
イを開状態にする操作をユーザに行わせることなく、メインディスプレイに表示される情
報のうちのユーザが所望する情報を提示することができる情報端末装置を提供することを
目的としている。
【０００９】
上記目的を達成するために本発明に係る情報端末装置（１）は、開閉駆動する格納式の
メインディスプレイと、該メインディスプレイが格納された閉状態の場合に露出されるサ
ブディスプレイとを備えた情報端末装置において、前記メインディスプレイの開閉状態を
判断する開閉状態判断手段と、該開閉状態判断手段により前記メインディスプレイが格納
された閉状態であると判断された場合、前記メインディスプレイの開状態時に該メインデ
ィスプレイに表示される情報のうちの所定の情報を前記サブディスプレイに表示する制御
を行う表示制御手段とを備えていることを特徴としている。
【００１０】
上記情報端末装置（１）によれば、前記開閉状態判断手段により前記メインディスプレ
イが格納された閉状態であると判断された場合、前記表示制御手段によって、前記メイン
ディスプレイの開状態時に該メインディスプレイに表示される情報のうちの所定の情報を
前記サブディスプレイに表示する制御が行われるので、前記メインディスプレイが閉状態
である場合でも、前記メインディスプレイを開状態にする操作をユーザに行わせることな
く、前記所定の情報を前記サブディスプレイに表示して、ユーザに視認させることができ
、利便性を高めることができるとともに、車両に搭載された場合には、運転者による運転
中の前記メインディスプレイの開操作を防止することができ、走行時の安全性を損なわな
いようにすることができる。
【００１１】
また本発明に係る情報端末装置（２）は、上記情報端末装置（１）において、前記開閉
状態判断手段により前記メインディスプレイが開状態であると判断された場合、前記サブ
ディスプレイの表示を停止する表示停止手段を備えていることを特徴としている。
【００１２】
上記情報端末装置（２）によれば、前記開閉状態判断手段により前記メインディスプレ
イが開状態であると判断された場合、前記表示停止手段によって前記サブディスプレイの
表示が停止されるので、例えば、前記メインディスプレイが開状態のときに、前記サブデ
ィスプレイが前記メインディスプレイの背面側に位置して視認できない場合には、無駄な
表示電力の消費をなくすことができる。
【００１３】
また本発明に係る情報端末装置（３）は、上記情報端末装置（１）又は（２）において
、前記表示制御手段が、前記所定の情報として、道路交通情報取得手段から取得した道路
交通情報を前記サブディスプレイに表示する制御を行うものであることを特徴としている
。
【００１４】
上記情報端末装置（３）によれば、前記表示制御手段によって、前記道路交通情報取得
手段から取得した道路交通情報が前記サブディスプレイに表示される。したがって、前記
メインディスプレイの開操作をユーザに行わせることなく、前記サブディスプレイを通じ
て前記道路交通情報を視認させることができる。なお、前記サブディスプレイへの表示タ
イミングは、前記道路交通情報の取得タイミングに合わせて、所定条件のもと（例えば、
一定時間等）表示する方法が適用され得る。
【００１５】
また本発明に係る情報端末装置（４）は、上記情報端末装置（１）又は（２）において
、前記表示制御手段が、前記所定の情報として、電子番組表取得手段から取得した番組情
報を前記サブディスプレイに表示する制御を行うものであることを特徴としている。
【００１６】
上記情報端末装置（４）によれば、前記表示制御手段によって、前記電子番組表取得手
段から取得した番組情報が前記サブディスプレイに表示される。したがって、前記メイン
ディスプレイの開操作をユーザに行わせることなく、前記サブディスプレイを通じて前記
番組情報を視認させることができる。なお、前記サブディスプレイへの前記取得した番組
情報の表示は、例えば、ユーザ好みの放送局や番組ジャンルなどの優先的に表示させる条
件を予め設定する手段を設け、該設定手段により設定された優先表示条件に基づいて、該
当する番組情報を順番に表示させる方法が適用され得る。
【００１７】
また本発明に係る情報端末装置（５）は、上記情報端末装置（１）又は（２）において
、前記表示制御手段が、前記所定の情報として、自動料金収受システムに対応した通信手
段から取得した情報を前記サブディスプレイに表示する制御を行うものであることを特徴
としている。
【００１８】
上記情報端末装置（５）によれば、前記表示制御手段によって、前記自動料金収受シス
テムに対応した通信手段から取得した情報が前記サブディスプレイに表示される。したが
って、前記メインディスプレイの開操作をユーザに行わせることなく、前記サブディスプ
レイを通じて前記自動料金収受システム（すなわち、路側等に設置された通信機器と前記
通信手段との通信により自動的に通行料金等を徴収するシステム）に対応した通信手段か
ら取得した情報、例えば、利用日時、通行区間、通行料金、残金、利用履歴などの情報を
視認させることができる。なお、前記サブディスプレイへの表示タイミングは、前記通信
手段からの情報の取得タイミングに合わせて、所定条件のもと（例えば、一定時間等）表
示する方法が適用され得る。
【００１９】
また本発明に係る情報端末装置（６）は、上記情報端末装置（１）又は（２）において
、前記表示制御手段が、前記所定の情報として、現在位置を検出しながら経路案内を行う
ナビゲーション手段から取得した情報を前記サブディスプレイに表示する制御を行うもの
であることを特徴としている。
【００２０】
上記情報端末装置（６）によれば、前記表示制御手段によって、前記所定の情報として
、前記ナビゲーション手段から取得した情報が前記サブディスプレイに表示される。した
がって、前記メインディスプレイの開操作をユーザに行わせることなく、前記サブディス
プレイを通じて前記ナビゲーション手段から取得した情報を視認させることができる。な
お、前記サブディスプレイへの表示タイミングは、前記ナビゲーション手段からの情報の
取得タイミングに合わせて、所定条件のもと（例えば、一定時間等）表示する方法が適用
され得る。
【００２１】
また本発明に係る情報端末装置（７）は、上記情報端末装置（６）において、前記ナビ
ゲーション手段から取得した情報には、現在位置周辺の施設・店舗情報、及び／又は現在
位置の地名が含まれていることを特徴としている。
【００２２】
上記情報端末装置（７）によれば、前記ナビゲーション手段から取得した情報には、現
在位置周辺の施設・店舗情報、及び／又は現在位置の地名が含まれているので、前記サブ
ディスプレイを通じて現在位置周辺の施設・店舗情報、及び／又は現在位置の地名を視認
させることができる。なお、前記サブディスプレイへの現在位置周辺の施設・店舗情報の
表示は、例えば、ユーザが情報を必要としている施設・店舗のジャンルなどの抽出条件を
予め設定する手段を設け、該設定手段により設定された情報抽出条件に基づいて、該当す
る施設・店舗情報を表示させる方法が適用され得る。また、前記サブディスプレイへの現
在位置の地名の表示は、例えば、県域や市区町村域などの行政区域が切り替わった場合に
、切り替わった行政区域の情報を表示させる方法が適用され得る。
【００２３】
また本発明に係る情報端末装置（８）は、上記情報端末装置（６）において、前記ナビ
ゲーション手段から取得した情報には、経路案内情報が含まれていることを特徴としてい
る。
【００２４】
上記情報端末装置（８）によれば、前記ナビゲーション手段から取得した情報には、経
路案内情報が含まれているので、前記サブディスプレイを通じて経路案内情報、例えば、
文字による経路案内情報（交差点等、案内が必要な地点に対する案内情報）、設定経路か
ら外れて走行していることを知らせるルート外れ情報、又は設定された目的地までの距離
情報などをユーザに視認させることができる。
【００２５】
また本発明に係る情報端末装置（９）は、上記情報端末装置（１）〜（８）のいずれか
において、前記メインディスプレイの閉状態時に前記サブディスプレイに表示させる所定
の情報を設定するための表示情報設定手段を備えていることを特徴としている。
【００２６】
上記情報端末装置（９）によれば、前記表示情報設定手段によって、前記メインディス
プレイの閉状態時に前記サブディスプレイに表示する前記所定の情報を事前に設定するこ
とができる。例えば、前記所定の情報とする複数の候補の中からユーザに選択させて設定
する方法等が適用でき、これらの設定は、メインディスプレイに表示させた設定画面を通
じて設定できるように構成したり、サブディスプレイが配設された前面パネルのスイッチ
ボタンの入力操作により設定できるように構成することができる。
【００２７】
また本発明に係る情報端末装置（１０）は、上記情報端末装置（９）において、前記表
示情報設定手段が、音声入力手段から入力された音声情報に基づいて前記所定の情報を設
定するものであることを特徴としている。
【００２８】
上記情報端末装置（１０）によれば、前記表示情報設定手段が、前記音声入力手段から
入力された音声情報に基づいて前記所定の情報を設定するものであるので、設定画面を注
視しなくても前記所定の情報を設定することができ、車載用とした場合には安全性を損な
わない効果を高めることができる。
【００２９】
また本発明に係る情報端末装置（１１）は、上記情報端末装置（１）〜（１０）のいず
れかにおいて、前記表示制御手段による表示制御により前記サブディスプレイに表示され
た前記所定の情報を記憶部に記憶する記憶手段を備えていることを特徴としている。
【００３０】
上記情報端末装置（１１）によれば、前記表示制御手段による表示制御により前記サブ
ディスプレイに表示された前記所定の情報が前記記憶部に記憶されるので、前記サブディ
スプレイへの表示を見損ねた場合には、前記記憶部から読み出して後で確認することがで
きる。
【発明を実施するための最良の形態】
【００３１】
以下、本発明に係る情報端末装置の実施の形態を図面に基づいて説明する。図１は、実
施の形態に係る情報端末装置の要部を概略的に示したブロック図である。なお、本実施の
形態では、車載用に適用した場合について説明する。また、実施の形態に係る情報端末装
置は、図９に示した従来の車載用の情報端末装置１００と同様の外観を呈しており、開閉
駆動する格納式のメインディスプレイ２０と、前面パネル３に配設されたサブディスプレ
イ２１とを備えており、同一機能を有する構成部品には同一符号を付すこととする。
【００３２】
車速から演算して走行距離を取得するための車速センサ１１と、進行方向に関する情報
を取得するためのジャイロセンサ１２とが、マイコン１０に接続されており、マイコン１
０は、演算した走行距離情報及び進行方向情報に基づいて自車位置を割り出すようになっ
ている（自律航法）。また、アンテナ１３ａを介して衛星からのＧＰＳ信号を受信するＧ
ＰＳ受信機１３がマイコン１０に接続されており、マイコン１０はＧＰＳ信号に基づいて
自車位置を割り出すようになっている（ＧＰＳ航法）。
【００３３】
また、アンテナ１４ａを介して路側に設置された狭域通信装置（ビーコンと呼ばれてい
る）との間でデータ通信を行ったり、ＦＭ多重放送を受信するためのＶＩＣＳ（Vehicle 
Information and Communication System）ユニット１４がマイコン１０に接続されており
、ＶＩＣＳユニット１４で受信した渋滞情報等を含む道路交通情報はマイコン１０に送出
され、マイコン１０は、ＶＩＣＳユニット１４から取得した道路交通情報をハードディス
ク装置（ＨＤＤ）１９内のＶＩＣＳ情報記憶部１９ａに記憶する処理を行うようになって
いる。ＶＩＣＳ情報記憶部１９ａには、初期設定又はユーザ設定された所定期間や所定件
数の道路交通情報が記憶されるようになっている。
【００３４】
また、アンテナ１５ａを介してＥＴＣ（自動料金収受システム）ゲートに設けられた無
線機との間でデータ通信を行うためのＥＴＣユニット１５がマイコン１０に接続されてお
り、ＥＴＣユニット１５で処理されたＥＴＣ情報（利用日時、利用区間、支払い料金など
の情報）はマイコン１０に送出され、マイコン１０は、ＥＴＣユニット１５から取得した
ＥＴＣ情報をＨＤＤ１９内のＥＴＣ情報記憶部１９ｂに記憶する処理を行うようになって
いる。ＥＴＣ情報記憶部１９ｂには、初期設定又はユーザ設定された所定期間や所定件数
のＥＴＣ情報（利用日時、利用区間、支払い料金など）が記憶されるようになっている。
【００３５】
また、アンテナ１６ａを介して通信ネットワーク（インターネット等）に接続可能な通
信ユニット１６がマイコン１０に接続されており、マイコン１０は、通信ユニット１６を
制御することによって、通信ネットワークを介してサーバとの間でデータ通信を行うこと
ができるようになっており、例えば、マイコン１０は、ＥＰＧ（電子番組表）情報提供サ
ーバにアクセスして該サーバから取得したＥＰＧ情報をＨＤＤ１９内のＥＰＧ情報記憶部
１９ｃに更新記憶する処理などを行うようになっている。
【００３６】
また、ＣＤやＤＶＤなどの記録媒体１７を再生する再生装置１８がマイコン１０に接続
されており、マイコン１０は、再生装置１８を制御して記録媒体から読み取った音声デー
タや映像データを再生するため機能を有し、記録媒体１７から読み取った音声データをア
ンプ２５を介してスピーカ２６から音声出力する処理や、記録媒体１７から読み取った映
像データをメインディスプレイ２０に映像出力する処理などを行うようになっている。
【００３７】
また、大容量の書き換え可能な記憶手段であるハードディスク装置（ＨＤＤ）１９がマ
イコン１０に接続されており、ＨＤＤ１９には、ＶＩＣＳ情報記憶部１９ａ、ＥＴＣ情報
記憶部１９ｂ、ＥＰＧ情報記憶部１９ｃ、及び道路地図表示、目的地への経路探索、及び
目的地への経路案内などのナビゲーション機能に必要な道路地図データ、各種表示画面デ
ータ、及び各種プログラムなどが記憶されているナビ情報記憶部１９ｄが含まれており、
マイコン１０は、ＨＤＤ１９から各種の制御に必要なデータやプログラムを読み出して、
プログラムに従った所定の制御を行ったり、外部から取得したデータをＨＤＤ１９に書き
込む処理を行うようになっている。なお、データの読み書きが可能なＤＶＤ−ＲＡＭ装置
、半導体メモリなどの記憶装置をさらに追加したり、ＨＤＤ１９の代わりに採用すること
も可能である。
【００３８】
また、マイコン１０は、ＨＤＤ１９からナビゲーション機能の制御に必要なデータやプ
ログラムを読み出して、ナビゲーション機能に関する各種の制御、例えば、目的地設定画
面を通じて入力された目的地情報に基づいて目的地を検索し、検索された目的地までの経
路を探索する処理、ＧＰＳ受信機１３等から取得した信号に基づいて自車位置を割り出す
処理、割り出した自車位置とナビ情報記憶部１９ｄから読み出した道路地図データとを合
わせるマップマッチング処理を行い、メインディスプレイ３２上に自車位置と案内経路と
が示された道路地図、さらにＶＩＣＳ情報やＥＴＣ情報等を表示させる処理、経路案内の
ための合成音声を生成して、アンプ２５を介してスピーカ２６から音声として出力する処
理などを行うようになっている。なお、メインディスプレイ２０が格納された状態（図９
（ａ）の状態）でＣＤを再生している状態であっても、マイコン１０では、自車位置を割
り出す処理やマップマッチング処理などのナビゲーション機能が作動するように構成され
ている。
【００３９】
また、開閉駆動する格納式のメインディスプレイ２０と、前面パネル３に設けられ、メ
インディスプレイ２０が格納された閉状態の場合に露出されるサブディスプレイ２１と、
メインディスプレイ２０を本体内に格納したり、閉状態（格納状態）のメインディスプレ
イ２０を本体から引き出し前面パネル３の手前に配置させる（開状態とする）ための開閉
機構部２２とがマイコン１０に接続されている。マイコン１０は、メインディスプレイ２
０やサブディスプレイ２１に対する表示制御や開閉機構部２２の駆動制御を行うように構
成されている。
【００４０】
なお、メインディスプレイ２０は、液晶ディスプレイなどから構成されており、サブデ
ィスプレイ２１は、蛍光表示管（ＶＦＤ管）を用いた表示器、有機ＥＬ（エレクトロルミ
ネッセンス）を用いた表示器、又は液晶ディスプレイなどから構成されている。
【００４１】
また、前面パネル３に設けられたボタンスイッチやダイヤルスイッチ、メインディスプ
レイ２０の外枠部に設けられたボタンスイッチ、メインディスプレイ２０上に設けられた
タッチパネル、リモコン（図示せず）などを含んで構成される操作部２３がマイコン１０
に接続されており、操作部２３から出力された信号はマイコン１０に入力され、操作部２
３からのスイッチ信号、タッチ座標信号、又はリモコン信号に応じた処理がマイコン１０
で行われるようになっている。例えば、マイコン１０は、操作部２３に設けられたメイン
ディスプレイ２０の開閉スイッチ２０ａの操作信号に基づいて、開閉機構部２２の駆動制
御を行い、メインディスプレイ２０の開閉制御を行う。そして、メインディスプレイ２０
の開閉状態に基づいて、メインディスプレイ２０及びサブディスプレイ２１に対する表示
制御を行うようになっている。
【００４２】
すなわち、マイコン１０は、メインディスプレイ２０の開閉状態を判断する開閉状態判
断手段と、開閉状態判断手段によりメインディスプレイ２０が格納された閉状態であると
判断された場合、メインディスプレイ２０の開状態時にメインディスプレイ２０に表示さ
れる情報のうちの所定の情報をサブディスプレイ２１に表示する制御を行う表示制御手段
としての機能を備えている。
【００４３】
メインディスプレイ２０の閉状態時にサブディスプレイ２１に表示させる所定の情報は
、例えば、図２に示した「サブディスプレイ表示情報設定」画面（メインディスプレイ２
０）を通じて、ＶＩＣＳ情報、ＥＴＣ情報、ＥＰＧ情報、現在地情報、周辺施設・店舗情
報、及び経路案内情報のうちの１つ以上の情報を、メインディスプレイ２０の閉状態時に
サブディスプレイ２１に表示させる情報として、予め設定登録することができるようにな
っている。また、初期設定として、運転時に必要性の高い経路案内情報とＶＩＣＳ情報と
を設定しておいてもよい。                                                        
【００４４】
また別の設定方法として、前面パネル３に設けられたボタンスイッチ３ａに、サブディ
スプレイ表示情報設定モードに切り替える機能を設け、該設定モードに切り替えた状態で
、ボタンスイッチ３ａを操作すると、サブディスプレイ２１上にＶＩＣＳ情報、ＥＴＣ情
報、ＥＰＧ情報、現在地情報、周辺施設・店舗情報、及び経路案内情報の項目が順番に表
示されるようして、ユーザが所望する情報項目が表示された時に決定操作（例えば、ボタ
ンスイッチの長押し等）を行うことで登録できる構成としてもよい。
【００４５】
また、マイクロホンを含んで構成される音声入力部２４がマイコン１０に接続されてお
り、マイコン１０では、音声取込モードに設定された状態において、マイクロホンから取
り込んだ音声情報を認識して各種の設定処理動作、例えば、メインディスプレイ２０の閉
状態時にサブディスプレイ２１に表示させるユーザが所望する情報の設定登録が行えるよ
うになっており、音声情報を認識するための単語辞書や、設定項目と音声キーワードとが
関連付けられた設定判別テーブルがＨＤＤ１９に記憶されている。
【００４６】
次に実施の形態に係る情報端末装置におけるマイコン１０の行う処理動作を図３に示し
たフロ−チャ−トに基づいて説明する。なお、本処理動作は、図２に示した「サブディス
プレイ表示情報設定」画面等を通じて、サブディスプレイ表示情報にＶＩＣＳ情報が設定
されている場合に実行される。また、メインディスプレイ２０は開状態となっており、目
的地までの経路案内処理が実行されている場合を想定して説明する。
【００４７】
まず、操作部２３に含まれる開閉スイッチ２０ａによるメインディスプレイ２０の格納
操作（すなわち閉状態とする操作）があったか否かを判断し（ステップＳ１）、格納操作
がなかったと判断すればステップＳ１１に進み、通常のナビ画面表示を行う一方、格納操
作があったと判断すれば、メインディスプレイ２０への表示を停止するとともに、開閉機
構部２２を制御して、メインディスプレイ２０を格納する制御を行い（ステップＳ２）、
その後サブディスプレイ２１を起動する（ステップＳ３）。なお、ＣＤ等の再生が行われ
ている場合は、サブディスプレイ２１に曲の演奏時間や曲名などの情報を表示する。
【００４８】
その後、ＶＩＣＳユニット１４を介してＶＩＣＳ情報を受信したか否かを判断し（ステ
ップＳ４）、ＶＩＣＳ情報を受信していないと判断すればステップＳ８に進む一方、ＶＩ
ＣＳ情報を受信したと判断すれば、サブディスプレイ２１にＶＩＣＳ情報を表示する処理
、例えば、「国道２号○○から△△まで２ｋｍ渋滞」などの道路交通情報を表示する処理
を行う（ステップＳ５）。なお、ＶＩＣＳ情報の表示に合わせて、告知音（ブザー音など
）を鳴らすようにしてもよい。その後、一定時間が経過したか否かを判断し（ステップＳ
６）、一定時間が経過したと判断すれば、受信したＶＩＣＳ情報をＨＤＤ１９のＶＩＣＳ
情報記憶部１９ａに記憶して、ＶＩＣＳ情報の表示から元の表示（サブディスプレイ２１
起動時の表示画面）に戻す処理を行う（ステップＳ７）。なお、ＶＩＣＳ情報記憶部１９
ａに記憶されたＶＩＣＳ情報は、再表示操作によりメインディスプレイ２０又はサブディ
スプレイ２１に再表示させることができるようになっている。
【００４９】
その後、操作部２３に含まれる開閉スイッチ２０ａによるメインディスプレイ２０の開
操作（すなわち、開状態とする操作）があったか否かを判断し（ステップＳ８）、開操作
がなかったと判断すればステップＳ４に戻る一方、開操作があったと判断すれば、サブデ
ィスプレイ２１への表示を停止するとともに、開閉機構部２２を制御して、メインディス
プレイ２０を引き出して前面パネル３の手前に配置する制御（オープン制御）を行い（ス
テップＳ９）、その後、メインディスプレイ２０を起動させて（ステップＳ１０）、通常
のナビ画面表示を行い（ステップＳ１１）、ステップＳ１に戻る。
【００５０】
次に実施の形態に係る情報端末装置におけるマイコン１０の行う処理動作を図４に示し
たフロ−チャ−トに基づいて説明する。なお、本処理動作は、図２に示した「サブディス
プレイ表示情報設定」画面を通じて、サブディスプレイ表示情報にＥＴＣ情報が設定され
ている場合に実行される。また、本処理動作は、図３に示した処理動作におけるステップ
Ｓ４、Ｓ５の代わりに、ステップＳ２１、Ｓ２２を、さらにステップＳ７の代わりにステ
ップＳ２３を挿入した構成となっており、同一内容の処理動作には、同一符号を付してそ
の説明を省略し、以下相違点のみ説明することとする。
【００５１】
ステップＳ３において、サブディスプレイ２１を起動し、ＣＤ等の再生が行われている
場合は、サブディスプレイ２１に曲の演奏時間や曲名などの情報を表示して、その後、ス
テップＳ２１に進む。ステップＳ２１では、ＥＴＣユニット１５からの情報に基づいて、
ＥＴＣゲートを通過したか否かを判断し、ＥＴＣゲートを通過していないと判断すればス
テップＳ８に進む一方、ＥＴＣゲートを通過したと判断すればステップＳ２２に進み、ス
テップＳ２２では、ＥＴＣユニット１５からの情報に基づいて、サブディスプレイ２１に
ＥＴＣ情報（例えば、「○○料金所入口（出口）を通過しました」、「支払い料金は○○
円です」、「走行区間は○○〜△△です」など）を表示する処理を行い、その後、一定時
間が経過したか否かを判断し（ステップＳ６）、一定時間が経過したと判断すれば、受信
したＥＴＣ情報（利用日時、利用区間、支払い料金など）をＨＤＤ１９のＥＴＣ情報記憶
部１９ｂに記憶して、ＥＴＣ情報の表示から元の表示に戻す処理を行う（ステップＳ２３
）。その後、ステップＳ８以降の処理へ進む。なお、ＥＴＣ情報記憶部１９ｂに記憶され
たＥＴＣ情報は、再表示操作によりメインディスプレイ２０又はサブディスプレイ２１に
再表示させることができるようになっている。
【００５２】
次に実施の形態に係る情報端末装置におけるマイコン１０の行う処理動作を図５に示し
たフロ−チャ−トに基づいて説明する。なお、本処理動作は、図２に示した「サブディス
プレイ表示情報設定」画面を通じて、サブディスプレイ表示情報にＥＰＧ情報が設定され
ている場合に実行される。また、本処理動作は、図３に示した処理動作におけるステップ
Ｓ４〜Ｓ７の代わりに、ステップＳ３１〜Ｓ３５を挿入した構成となっており、同一内容
の処理動作には、同一符号を付してその説明を省略し、以下相違点のみ説明することとす
る。
【００５３】
ステップＳ３において、サブディスプレイ２１を起動し、ＣＤ等の再生が行われている
場合は、サブディスプレイ２１に曲の演奏時間や曲名などの情報を表示して、その後、ス
テップＳ３１に進む。ステップＳ３１では、ＥＰＧ情報の取得タイミングか否かを判断し
、ＥＰＧ情報の取得タイミングではないと判断すればステップＳ８に進む一方、ＥＰＧ情
報の取得タイミングであると判断すればステップＳ３２に進む。なお、ＥＰＧ情報の取得
タイミングか否かは、ＥＰＧ情報の更新時刻、一定時間の経過、電波状況等を考慮して判
断するようになっている。
【００５４】
ステップＳ３２では、通信ユニット１６を制御して、インターネットを介してＥＰＧ情
報提供サーバにアクセスして、該サーバからＥＰＧ情報を取得する処理を行い、その後ス
テップＳ３３に進み、ステップＳ３３では、サブディスプレイ２１にＥＰＧ情報を表示す
る処理、例えば、予め設定された好みの放送局や番組ジャンル（ニュース、スポーツなど
）の番組予定や番組情報を優先して表示する処理を行う。その後、ステップＳ３４におい
て、ＥＰＧ情報の表示内容切替操作が、一定時間検出されなかったか否かを判断し、ＥＰ
Ｇ情報の表示内容切替操作が一定時間内に検出されたと判断すればステップＳ３３に戻り
、ＥＰＧ情報を引き続き表示する処理を行う一方、ＥＰＧ情報の表示内容切替操作が一定
時間検出されなかったと判断すれば、ステップＳ３５に進み、取得したＥＰＧ情報をＨＤ
Ｄ１９のＥＰＧ情報記憶部１９ｃに記憶して、ＥＰＧ情報の表示から元の表示に戻す処理
を行い、その後、ステップＳ８以降の処理へ進む。なお、ＥＰＧ情報記憶部１９ｃに記憶
されたＥＰＧ情報は、再表示操作によりメインディスプレイ２０又はサブディスプレイ２
１に再表示させることができるようになっている。
【００５５】
次に実施の形態に係る情報端末装置におけるマイコン１０の行う処理動作を図６に示し
たフロ−チャ−トに基づいて説明する。なお、本処理動作は、図２に示した「サブディス
プレイ表示情報設定」画面を通じて、サブディスプレイ表示情報に現在地情報が設定され
ている場合に実行される。また、本処理動作は、図３に示した処理動作におけるステップ
Ｓ４〜Ｓ７の代わりに、ステップＳ４１〜Ｓ４４を挿入した構成となっており、同一内容
の処理動作には、同一符号を付してその説明を省略し、以下相違点のみ説明することとす
る。
【００５６】
ステップＳ３において、サブディスプレイ２１を起動し、ＣＤ等の再生が行われている
場合は、サブディスプレイ２１に曲の演奏時間や曲名などの情報を表示して、その後、ス
テップＳ４１に進む。ステップＳ４１では、自車位置情報に基づいて、隣接する行政区域
（市区町村や都道府県）に移動したか否かを判断し、隣接する行政区域に移動していない
と判断すればステップＳ８に進む一方、隣接する行政区域に移動したと判断すればステッ
プＳ４２に進み、ステップＳ４２では、サブディスプレイ２１に現在地の行政区域情報（
例えば、「○○市（○○県）に入りました」など）を表示する処理を行い、その後、一定
時間が経過したか否かを判断し（ステップＳ４３）、一定時間が経過したと判断すれば、
ステップＳ４４に進み、現在地の行政区域情報の表示から元の表示に戻す処理を行い、そ
の後ステップＳ８以降の処理へ進む。
【００５７】
次に実施の形態に係る情報端末装置におけるマイコン１０の行う処理動作を図７に示し
たフロ−チャ−トに基づいて説明する。なお、本処理動作は、図２に示した「サブディス
プレイ表示情報設定」画面を通じて、サブディスプレイ表示情報に周辺施設・店舗情報が
設定されている場合に実行される。また、本処理動作は、図３に示した処理動作における
ステップＳ４〜Ｓ７の代わりに、ステップＳ５１〜Ｓ５４を挿入した構成となっており、
同一内容の処理動作には、同一符号を付してその説明を省略し、以下相違点のみ説明する
こととする。
【００５８】
ステップＳ３において、サブディスプレイ２１を起動し、ＣＤ等の再生が行われている
場合は、サブディスプレイ２１に曲の演奏時間や曲名などの情報を表示して、その後、ス
テップＳ５１に進む。ステップＳ５１では、自車位置情報と地図に関連付けられた施設・
店舗情報とに基づいて、自車位置周辺の施設・店舗情報があるか否かを判断し、自車位置
周辺の施設・店舗情報はないと判断すればステップＳ８に進む一方、自車位置周辺の施設
・店舗情報があると判断すればステップＳ５２に進む。なお、自車位置周辺の施設・店舗
情報があるか否かの判断は、例えば、全ての施設・店舗を対象とするのでなく、ユーザが
情報を必要としている予め設定された施設・店舗のジャンルなどの情報抽出条件に該当す
る施設・店舗情報があるか否かを判断するようにしてもよい。
【００５９】
ステップＳ５２では、サブディスプレイ２１に自車位置周辺の施設・店舗情報（例えば
、「レストラン○○が近くにあります」「ショッピングセンター○○が近くにあります」
など）を表示する処理を行い、その後、一定時間が経過したか否かを判断し（ステップＳ
５３）、一定時間が経過したと判断すれば、ステップＳ５４に進み、自車位置周辺の施設
・店舗情報の表示から元の表示に戻す処理を行い、その後ステップＳ８以降の処理へ進む
。
【００６０】
次に実施の形態に係る情報端末装置におけるマイコン１０の行う処理動作を図８に示し
たフロ−チャ−トに基づいて説明する。なお、本処理動作は、図２に示した「サブディス
プレイ表示情報設定」画面を通じて、サブディスプレイ表示情報に経路案内情報が設定さ
れている場合に実行される。また、本処理動作は、図３に示した処理動作におけるステッ
プＳ４〜Ｓ７の代わりに、ステップＳ６１〜Ｓ６７を挿入した構成となっており、同一内
容の処理動作には、同一符号を付してその説明を省略し、以下相違点のみ説明することと
する。
【００６１】
ステップＳ３において、サブディスプレイ２１を起動し、ＣＤ等の再生が行われている
場合は、サブディスプレイ２１に曲の演奏時間や曲名などの情報を表示して、その後、ス
テップＳ６１に進む。ステップＳ６１では、交差点等の経路案内タイミングか否かを判断
し、経路案内タイミングではないと判断すればステップＳ６４に進む一方、経路案内タイ
ミングであると判断すれば、サブディスプレイ２１に経路案内情報（例えば、「○○ｍ先
の交差点を右折して下さい」等の案内情報）を一定時間表示する処理を行う（ステップＳ
６２）。なお、サブディスプレイ２１への表示に合わせて、経路案内情報の表示をユーザ
に告知するために、ブザー音を鳴らしたり、又は経路案内情報を音声出力するようにして
もよい。その後、案内地点を通過したか否かを判断し（ステップＳ６３）、案内地点を通
過したと判断すればステップＳ６４に進み、ステップＳ６４では、自車が設定ルートを外
れたか否かを判断し、自車が設定ルートを外れたと判断すれば、サブディスプレイ２１に
設定ルートを外れたことを知らせるルート外れ情報（例えば、「設定ルートを外れて○○
方向に向かっています」等の情報）を一定時間表示する処理を行う。なお、サブディスプ
レイ２１への表示に合わせて、ルート外れ情報の表示をユーザに告知するために、ブザー
音を鳴らしたり、又はルート外れ情報を音声出力するようにしてもよい。
【００６２】
一方、ステップＳ６４において、自車が設定ルートを外れていないと判断すれば、目的
地までの距離を求めて、目的地まで所定距離になったか否かを判断し（ステップＳ６６）
、目的地まで所定距離になっていないと判断すればステップＳ８に進む一方、目的地まで
所定距離になったと判断すれば、サブディスプレイ２１に目的地までの距離情報（例えば
、「目的地まで残り○ｋｍです」等の情報）を一定時間表示する処理を行い（ステップＳ
６７）、その後ステップＳ８以降の処理へ進む。
【００６３】
上記実施の形態に係る情報端末装置によれば、メインディスプレイ２０が閉状態である
場合でも、メインディスプレイ２０をわざわざ開状態にする操作を行わずに、ユーザが所
望する情報、すなわちサブディスプレイ表示設定画面を通じて予め設定された情報（ＶＩ
ＣＳ情報、ＥＴＣ情報、ＥＰＧ情報、現在地情報、周辺施設・店舗情報、又は経路案内情
報）をサブディスプレイ２１に表示することができる。したがって、メインディスプレイ
２０の開状態時にメインディスプレイ２０に表示される情報の一部を、メインディスプレ
イ２０の閉状態時にサブディスプレイ２１を通じて、ユーザに視認させることができ、利
便性を高めることができるとともに、車両に搭載された場合には、運転者による運転中の
メインディスプレイ２０の開操作を防止することができ、走行時の安全性を損なわないよ
うにすることができる。
【００６４】
また、メインディスプレイ２０が開状態であると判断された場合、サブディスプレイ２
１の表示が停止されるので、無駄な表示電力の消費をなくすことができる。また、サブデ
ィスプレイ２１に表示されたユーザ所望の情報（ＶＩＣＳ情報、ＥＴＣ情報、ＥＰＧ情報
など）がＨＤＤ１９に記憶されるので、サブディスプレイ２１への表示を見損ねた場合に
は、後でＨＤＤ１９から読み出して表示させることができる。
【図面の簡単な説明】
【００６５】
【図１】本発明の実施の形態に係る情報端末装置の要部を概略的に示したブロック図である。
【図２】メインディスプレイに表示されるサブディスプレイ表示情報設定画面の表示例を示した図である。
【図３】実施の形態に係る情報端末装置におけるマイコンの行う処理動作を示したフローチャートである。
【図４】実施の形態に係る情報端末装置におけるマイコンの行う処理動作を示したフローチャートである。
【図５】実施の形態に係る情報端末装置におけるマイコンの行う処理動作を示したフローチャートである。
【図６】実施の形態に係る情報端末装置におけるマイコンの行う処理動作を示したフローチャートである。
【図７】実施の形態に係る情報端末装置におけるマイコンの行う処理動作を示したフローチャートである。
【図８】実施の形態に係る情報端末装置におけるマイコンの行う処理動作を示したフローチャートである。
【図９】開閉駆動する格納式のメインディスプレイと、前面パネルに配設されたサブディスプレイとを備えた従来の情報端末装置を模式的に示した外観図であり、（ａ）は、メインディスプレイが格納された閉状態時の正面図と側面図、（ｂ）は、メインディスプレイの開状態時の正面図と側面図である。
【符号の説明】
【００６６】
３  前面パネル
１０  マイコン
１３  ＧＰＳ受信機
１４  ＶＩＣＳユニット
１５  ＥＴＣユニット
１６  通信ユニット
１９  ハードディスク装置（ＨＤＤ）
２０  メインディスプレイ
２１  サブディスプレイ
２２  開閉機構部
２３  操作部
２４  音声入力部
【図１】
2006331167.tif 000003
【図２】
2006331167.tif 000004
【図３】
2006331167.tif 000005
【図４】
2006331167.tif 000006
【図５】
2006331167.tif 000007
【図６】
2006331167.tif 000008
【図７】
2006331167.tif 000009
【図８】
2006331167.tif 000010
【図９】
2006331167.tif 000011